(57)【特許請求の範囲】
【請求項１】
電力コンバータ・コントローラへの電力供給を提供する電力コンバータ段であって、
前記電力コンバータ段の入力側における第１の電力貯蓄手段と、
前記電力コンバータ段の出力側における第２の電力貯蓄手段と、
一次インダクタンスを含む電力変換のための回路と、
前記電力コンバータ・コントローラに電力を供給するための前記一次インダクタンスに誘導結合された二次インダクタンスと、
を有する電力コンバータ段において、
前記回路は、前記電力コンバータのスタンバイ中、前記第１の電力貯蓄手段から前記第２の電力貯蓄手段まで及び前記第２の電力貯蓄手段から前記第１の電力貯蓄手段まで前記一次インダクタンスによって、順に電力を輸送し、
前記回路は、前記第１の電力貯蓄手段に貯蓄されている電圧が所定の第１の最小値に達する場合、前記第１の電力貯蓄手段から前記第２の電力貯蓄手段までの電力の輸送を停止し、
前記所定の第１の最小値は、前記電力供給のピーク値より高い、
電力コンバータ段。
【請求項２】
電力コンバータ・コントローラへの電力供給を提供する電力コンバータ段であって、
前記電力コンバータ段の入力側における第１の電力貯蓄手段と、
前記電力コンバータ段の出力側における第２の電力貯蓄手段と、
一次インダクタンスを含む電力変換のための回路と、
前記電力コンバータ・コントローラに電力を供給するための前記一次インダクタンスに誘導結合された二次インダクタンスと、
を有する電力コンバータ段において、
前記回路は、前記電力コンバータのスタンバイ中、前記第１の電力貯蓄手段から前記第２の電力貯蓄手段まで及び前記第２の電力貯蓄手段から前記第１の電力貯蓄手段まで前記一次インダクタンスによって、順に電力を輸送し、
前記回路は、前記第１の電力貯蓄手段に貯蓄されている電圧が所定の第１の最大値に達する場合、前記第２の電力貯蓄手段から前記第１の電力貯蓄手段までの電力の輸送を停止する、
電力コンバータ段。
【請求項３】
電力コンバータ・コントローラへの電力供給を提供する電力コンバータ段であって、
前記電力コンバータ段の入力側における第１の電力貯蓄手段と、
前記電力コンバータ段の出力側における第２の電力貯蓄手段と、
一次インダクタンスを含む電力変換のための回路と、
前記電力コンバータ・コントローラに電力を供給するための前記一次インダクタンスに誘導結合された二次インダクタンスと、
を有する電力コンバータ段において、
前記回路は、前記電力コンバータのスタンバイ中、前記第１の電力貯蓄手段から前記第２の電力貯蓄手段まで及び前記第２の電力貯蓄手段から前記第１の電力貯蓄手段まで前記一次インダクタンスによって、順に電力を輸送し、
前記回路は、前記第２の電力貯蓄手段に貯蓄されている電圧が所定の第２の最小値に達する場合、前記第１の電力貯蓄手段に接続されている電源から電力を受け取る、
電力コンバータ段。
【請求項４】
前記第１の電力貯蓄手段及び／又は第２の電力貯蓄手段はコンデンサである、請求項１、２又は３に記載の電力コンバータ段。
【請求項５】
前記回路は、第１及び第２のスイッチを更に含み、前記一次インダクタンス、前記第１のスイッチ及び前記第２のスイッチの配置は、同期ブーストコンバータに対応している、請求項１、２又は３に記載の電力コンバータ段。
【請求項６】
前記回路は、第３及び第４のスイッチ及び第１及び第２のダイオードを含み、
前記第３のスイッチ及び前記第１のダイオードは、前記第１の電力貯蓄手段から前記第２の電力貯蓄手段へ電力を輸送するためのブーストコンバータを形成するように前記一次インダクタンスと一緒に配されており、
前記第４のスイッチ及び前記第２のダイオードは、前記第２の電力貯蓄手段から前記第１の電力貯蓄手段へ電力を輸送するバックコンバータを形成するように前記一次インダクタンスと一緒に配されている、
請求項１、２又は３に記載の電力コンバータ段。
【請求項７】
前記一次インダクタンスは、第１のインダクタンス要素及び第２のインダクタンス要素を含み、
前記第１のインダクタンス要素は前記ブーストコンバータに含まれ、前記第２のインダクタンス要素は前記バックコンバータに含まれる、請求項６に記載の電力コンバータ段。
【請求項８】
前記コントローラは、前記電力コンバータのスタンバイ中、前記一次インダクタンスによって、前記第１の電力貯蓄手段から前記第２の電力貯蓄手段まで及び前記第２の電力貯蓄手段から前記第１の電力貯蓄手段まで、順に電力を輸送するよう前記回路を制御し、
前記コントローラは、更に、前記第１の電力貯蓄手段に貯蓄されている電圧が所定の第１の最小値に達する場合、前記第１の電力貯蓄手段から前記第２の電力貯蓄手段までの電力の輸送を停止するよう前記回路を制御し、
前記所定の第１の最小値は、前記電力供給のピーク値より高い、請求項１に記載の電力コンバータ段のためのコントローラ。
【請求項９】
前記コントローラは、前記電力コンバータのスタンバイ中、前記一次インダクタンスによって、前記第１の電力貯蓄手段から前記第２の電力貯蓄手段まで及び前記第２の電力貯蓄手段から前記第１の電力貯蓄手段まで、順に電力を輸送するよう前記回路を制御し、
前記コントローラは、更に、前記第１の電力貯蓄手段に貯蓄されている電圧が所定の第１の最大値に達する場合、前記第２の電力貯蓄手段から前記第１の電力貯蓄手段までの電力の輸送を停止するよう前記回路を制御する、請求項２に記載の電力コンバータ段のためのコントローラ。
【請求項１０】
前記コントローラは、前記電力コンバータのスタンバイ中、前記一次インダクタンスによって、前記第１の電力貯蓄手段から前記第２の電力貯蓄手段まで及び前記第２の電力貯蓄手段から前記第１の電力貯蓄手段まで、順に電力を輸送するよう前記回路を制御し、
前記コントローラは、更に、前記第２の電力貯蓄手段に貯蓄されている電圧が所定の第２の最小値に達する場合、前記第１の電力貯蓄手段に接続されている電源から電力を受け取るよう前記回路を制御する、請求項３に記載の電力コンバータ段のためのコントローラ。
【請求項１１】
前記コントローラは、前記第１の電力貯蓄手段から前記第２の電力貯蓄手段まで前記一次インダクタンスによって電力を輸送するようブースト・モードにおいて前記回路を制御する、及び前記第２の電力貯蓄手段から前記第１の電力貯蓄手段まで前記一次インダクタンスによって電力を輸送するようバック・モードにおいて前記回路を制御する、請求項８、９又は１０に記載のコントローラ。
【請求項１２】
前記コントローラは、
ひとたび前記二次インダクタンスにより供給される電圧が所定の第２の最大値に到達すると、前記第１の電力貯蓄手段と前記第２の電力貯蓄手段との間の電力の輸送を停止し、
ひとたび前記二次インダクタンスにより供給される前記電圧が所定の第３の最小値まで降下すると、前記第１の電力貯蓄手段と前記第２の電力貯蓄手段との間の電力の輸送を再開する、請求項８、９又は１０に記載のコントローラ。
【請求項１３】
請求項１に記載の電力コンバータ段及び請求項８に記載のコントローラ、又は請求項２に記載の電力コンバータ段及び請求項９に記載のコントローラ、又は請求項３に記載の電力コンバータ段及び請求項１０に記載のコントローラを含む、電力コンバータ。
【請求項１４】
電力コンバータのコントローラに電力を供給する方法であって、
請求項１に記載の電力コンバータ段に供給するステップと、
前記電力コンバータのスタンバイ中、前記第１の電力貯蓄手段から前記第２の電力貯蓄手段へ及び前記第２の電力貯蓄手段から前記第１の電力貯蓄手段まで前記一次インダクタンスによって、順に電力を輸送するステップと、
前記第１の電力貯蓄手段に貯蓄されている電圧が所定の第１の最小値に達する場合、前記第１の電力貯蓄手段から前記第２の電力貯蓄手段までの電力の輸送を停止するステップと、
を有し、前記所定の第１の最小値は、前記電力供給のピーク値より高い、方法。
【請求項１５】
電力コンバータのコントローラに電力を供給する方法であって、
請求項２に記載の電力コンバータ段に供給するステップと、
前記電力コンバータのスタンバイ中、前記第１の電力貯蓄手段から前記第２の電力貯蓄手段へ及び前記第２の電力貯蓄手段から前記第１の電力貯蓄手段まで前記一次インダクタンスによって、順に電力を輸送するステップと、
前記第１の電力貯蓄手段に貯蓄されている電圧が所定の第１の最大値に達する場合、前記第２の電力貯蓄手段から前記第１の電力貯蓄手段までの電力の輸送を停止するステップと、
を有する、方法。
【請求項１６】
電力コンバータのコントローラに電力を供給する方法であって、
請求項３に記載の電力コンバータ段に供給するステップと、
前記電力コンバータのスタンバイ中、前記第１の電力貯蓄手段から前記第２の電力貯蓄手段へ及び前記第２の電力貯蓄手段から前記第１の電力貯蓄手段まで前記一次インダクタンスによって、順に電力を輸送するステップと、
前記第２の電力貯蓄手段に貯蓄されている電圧が所定の第２の最小値に達する場合、前記第１の電力貯蓄手段に接続されている電源から電力を受け取るステップと、
を有する、方法。
【請求項１７】
電力コンバータを制御するためのソフトウェアであって、請求項１３に記載の電力コンバータにおいて請求項８に記載のコントローラ上で前記ソフトウェアが走らされた場合、前記電力コンバータのスタンバイ中、前記第１の電力貯蓄手段から前記第２の電力貯蓄手段まで及び前記第２の電力貯蓄手段から前記第１の電力貯蓄手段まで前記一次インダクタンスによる電力の輸送が順に実行され、前記第１の電力貯蓄手段に貯蓄されている電圧が所定の第１の最小値に達する場合、前記第１の電力貯蓄手段から前記第２の電力貯蓄手段までの電力の輸送が停止されるようにするプログラムコードを有し、前記所定の第１の最小値は、前記電力供給のピーク値より高い、ソフトウェア。
【請求項１８】
電力コンバータを制御するためのソフトウェアであって、請求項１３に記載の電力コンバータにおいて請求項９に記載のコントローラ上で前記ソフトウェアが走らされた場合、前記電力コンバータのスタンバイ中、前記第１の電力貯蓄手段から前記第２の電力貯蓄手段まで及び前記第２の電力貯蓄手段から前記第１の電力貯蓄手段まで前記一次インダクタンスによる電力の輸送が順に実行され、前記第１の電力貯蓄手段に貯蓄されている電圧が所定の第１の最大値に達する場合、前記第２の電力貯蓄手段から前記第１の電力貯蓄手段までの電力の輸送が停止されるようにするプログラムコードを有する、ソフトウェア。
【請求項１９】
電力コンバータを制御するためのソフトウェアであって、請求項１３に記載の電力コンバータにおいて請求項１０に記載のコントローラ上で前記ソフトウェアが走らされた場合、前記電力コンバータのスタンバイ中、前記第１の電力貯蓄手段から前記第２の電力貯蓄手段まで及び前記第２の電力貯蓄手段から前記第１の電力貯蓄手段まで前記一次インダクタンスによる電力の輸送が順に実行され、前記第２の電力貯蓄手段に貯蓄されている電圧が所定の第２の最小値に達する場合、前記第１の電力貯蓄手段に接続されている電源から電力が受け取られるようにするプログラムコードを有する、ソフトウェア。
【発明の詳細な説明】
【技術分野】
【０００１】
この発明は、電力コンバータの通常及びスタンバイ動作の間、電力コンバータの制御回路に給電する補助供給の実施化に関する。詳細には、本発明は、電力コンバータ・コントローラへの電力供給を提供するための電力コンバータ段、このような電力コンバータ段のための電力コンバータ・コントローラ、このような電力コンバータ段及びこのような電力コンバータ・コントローラを含む電力コンバータ、電力コンバータのコントローラに電力を供給する方法及び電力コンバータを制御するためのソフトウェアに関する。
【背景技術】
【０００２】
全ての従来の電力コンバータは、前記電力コンバータの制御回路に給電するための補助供給を必要とする。
【発明の概要】
【発明が解決しようとする課題】
【０００３】
前記電力コンバータは、１つ以上の電力段を含んでも良く、このような補助供給の実施化に関して知られている幾つかの方法があり、組み合わされることさえできる。１つの取り組み方は、前記補助供給が、（例えば、補助巻線をＰＦＣ（Power Factor Correction：力率補正）インダクタ上に配することによって前記ＰＦＣに組み込むことにより）電力コンバータの１つ以上の段内に組み込まれること、及び前記補助供給のために使用される動作における１つ以上の電力段を含む。しかしながら、前記電力コンバータが活性化されていない場合、例えば、スタンバイ・モードに設定されている場合、前記補助供給も中断され、前記コンバータ制御回路はもはや電力を供給されない。
【０００４】
他の取り組み方は、前記補助供給が組み込まれるのではなく、（例えば、前記バス（又は本線）電圧から給電される、例えば、付加的なフライバック・コンバータを使用することによって）コンバータの独立な部分として実施化されることを含む。この取り組み方は、如何なる動作モードにおいても電力を前記制御回路に独立に供給することを可能にする。しかしながら、この取り組み方の不利な点は、必要とされるより大きい数の構成要素により増大された費用であって、典型的には、個々の構成要素のより大きい費用にある。
【０００５】
本発明の目的は、前記電力コンバータの全ての動作モードにおける電力コンバータの制御回路のための補助電力供給を提供すると共に、バス電圧から給電される専用の制御電力供給を提供することによって含まれる付加的な費用を回避することにある。
【課題を解決するための手段】
【０００６】
本発明の第１の見地において、電力コンバータ・コントローラへの電力供給を提供する電力コンバータ段であって、前記電力コンバータ段の入力側における第１の電力貯蓄手段と、前記電力コンバータ段の出力側における第２の電力貯蓄手段と、一次インダクタンスを含む電力変換のための回路と、前記電力コンバータ・コントローラに電力を供給するための前記一次インダクタンスに誘導結合されている二次インダクタンスとを有する電力コンバータにおいて、前記回路は、前記第１の電力貯蓄手段から前記第２の電力貯蓄手段まで及び前記第２の電力貯蓄手段から前記第１の電力貯蓄手段まで前記一次インダクタンスによって電力を輸送するように制御可能である、電力コンバータが、提示される。
【０００７】
本発明の更なる見地において、このような電力コンバータ段のためのコントローラであって、前記第１の電力貯蓄手段から前記第２の電力貯蓄手段まで及び前記第２の電力貯蓄手段から前記第１の電力貯蓄手段まで前記一次インダクタンスによって電力を輸送するように前記回路を制御するコントローラが、提示される。
【０００８】
本発明の更に他の見地において、このような電力コンバータ段及びこのようなコントローラを含む電力コンバータが、提示される。
【０００９】
電力コンバータ段に含まれる電力貯蓄手段又はより一般的には電力コンバータ内に貯蓄されている電力が、前記電力コンバータがスタンバイ・モードである場合においてさえも、コントローラへの供給のために使用されることができることが実現された。一次インダクタンスを介するこのような電力貯蓄手段間の電力の輸送が、二次インダクタンスへの電力の輸送も提供し、次いで、前記二次インダクタンスは前記コントローラに供給するからである。しかしながら、この電力の内部輸送は、スタンバイの状態と干渉しない。
【００１０】
更に、本発明は、スタンバイ中の前記システムの高い効率の目的に関しても対応することが分かった。解析によって、本発明によるコンバータのスタンバイ損失は、他の既知の解決案の損失よりも高くないことが示された。
【００１１】
前記電力コンバータ段が、（上述のコントローラのような）適切な制御装置に結合される又は適当な制御装置を備えている場合、前記電力コンバータ段は、前記第１の電力貯蓄手段から前記第２の電力貯蓄手段まで及び前記第２の電力貯蓄手段から前記第１の電力貯蓄手段まで前記一次インダクタンスによって電力を輸送するための制御を備えている。
【００１２】
前記電力コンバータ段の好ましい実施例において、前記第１の及び／又は第２の電力貯蓄手段は、コンデンサである。
【００１３】
既に従来の電力コンバータ又は電力コンバータ段は、コンデンサを、特に、電力貯蓄手段としても使用されることもできるフィルタリング及びバス・コンデンサを備えている。
【００１４】
前記電力コンバータ段の好ましい実施例において、前記回路は、更に、第１及び第２のスイッチを含んでおり、前記一次インダクタンス、前記第１のスイッチ及び前記第２のスイッチの配置は、同期ブーストコンバータに対応し、好ましくは、前記第１及び第２のスイッチの少なくとも一方はパワーＭＯＳＦＥＴであり、即ち、好ましくは前記第１のスイッチはパワーＭＯＳＦＥＴである若しくは前記第２スイッチはパワーＭＯＳＦＥＴである、又は両スイッチはパワーＭＯＳＦＥＴＳである。
【００１５】
同期ブーストコンバータの設計は、パワーＭＯＳＦＥＴスイッチに基づいて費用対効果が高い状態において設計されることができ、単に前記スイッチを制御することによって、１つの方向におけるブースト変換と反対の方向におけるバック変換との間の切替えを可能にする。
【００１６】
前記電力コンバータ段の他の実施例において、前記回路は、第３及び第４のスイッチ及び第１及び第２のダイオードを含み、前記第３のスイッチ及び前記第１のダイオードは、前記第１の電力貯蓄手段から前記第２の電力貯蓄手段への電力の輸送のためのブーストコンバータを形成するように、前記一次インダクタンスを一緒に配されており、前記第４のスイッチ及び前記第２のダイオードは、前記第２の電力貯蓄手段から前記第１の電力貯蓄手段へ電力を輸送するためのバックコンバータを形成するように、前記一次インダクタンスと一緒に配されている。
【００１７】
設計又は他の制約によって、上述した同期ブーストコンバータのような配置を設けることが禁止されている場合、ブーストコンバータの配置とバックコンバータ配置とを並列に逆方向において設けることも可能である。
【００１８】
前記電力コンバータ段の先述の実施例の変更において、前記一次インダクタンスは、第１のインダクタンス要素及び第２のインダクタンス要素を含み、前記第１のインダクタンス要素は前記ブーストコンバータに含まれ、そして、前記第２のインダクタンス要素は前記バックコンバータに含まれている。
【００１９】
前記バックコンバータ及び前記ブーストコンバータ配置の両方による、前記一次インダクタンスの共通の使用が好ましい場合でさえも、前記一次インダクタンスを形成する２つのインダクタンス要素を設けることも可能である。
【００２０】
前記電力コンバータ・コントローラの好ましい実施例において、特に、特に第１及び第２のスイッチを含む前記回路を有する電力コンバータ段であって、前記一次インダクタンス、前記第１のスイッチ及び前記第２のスイッチの配置は同期ブーストコンバータに対応し、前記コントローラは、前記一次インダクタンスによって前記第１の電力貯蓄手段から前記第２の電力貯蓄手段へ電力を輸送するようにブースト・モードにおいて前記回路を制御すると共に、前記一次インダクタンスによって前記第２の電力貯蓄手段から前記第１の電力貯蓄手段へ電力を輸送するようにバック・モードにおいて前記回路を制御する、電力コンバータ段が提供される。
【００２１】
上述したように、前記同期ブーストコンバータの配置が、本発明において有利に使用されることができ、前記ブースト・モード及び前記バック・モードは、単に前記電力コンバータ段内に含まれる前記スイッチを制御することによって切替えられることが可能である。
【００２２】
前記電力コンバータ・コントローラの好ましい実施例において、前記コントローラは、前記第１の電力貯蓄手段内に残っている電力が所定の第１の最小値に到達した場合、前記第１の電力貯蓄手段から前記第２の電力貯蓄手段まで電力の輸送を停止する。
【００２３】
前記第１の電力貯蓄手段内の電力を特定の閾値よりも高く保持することが好ましく、特に、前記本線から電力の制御されていない取入れ（uncontrolled intake）を回避するために、前記第１の電力貯蓄手段を形成しているコンデンサの両端の電圧を（整流された）前記本線のピーク値よりも高く保持することが、望ましい。
【００２４】
前記電力コンバータ・コントローラの先述の実施例の変更において、前記第１の電力貯蓄手段は、電力供給に接続されているコンデンサであって、前記所定の第１の最小値において、前記第１の電力貯蓄手段両端の電圧は前記電力供給のピークの値より高い。前記電力コンバータ・コントローラの好ましい実施例において、前記コントローラは、前記第１の電力貯蓄手段に貯蓄された電力が所定の第１の最大値に到達する場合、及び／又は前記第１の電力貯蓄手段に貯蓄されている前記電圧と前記第２の電力貯蓄手段に貯蓄されている電圧との差が所定の第２の最小値に到達する場合、前記第２の電力貯蓄手段から前記第１の電力貯蓄手段までの電力の輸送を停止する。
【００２５】
このような動作は、前記第１の電力貯蓄手段内に貯蓄されている前記電力を、前記第１の電力貯蓄手段の安全性を危険にさらすかもしれない値よりも低く保持する一方で、電力輸送の方向間の高過ぎる変化レートを回避する。
【００２６】
前記電力コンバータ・コントローラの好ましい実施例において、第２の電力貯蓄手段に貯蓄される前記電圧が所定の第３の最小値に到達する場合、前記コントローラは前記第１の電力貯蓄手段に接続している電力供給から電力を受け取るための前記回路を制御する。
【００２７】
必要な場合、前記電力貯蓄手段内に、特に、前記第２の電力貯蓄手段内に貯蓄される前記電力は、前記本線から補充されることができる。如何なる場合においても、好ましくは、前記第２の電力貯蓄手段内のエネルギー量のみがこのような最小値未満に降下した場合、エネルギーは前記本線からのみ引き出され、ひとたび最大出力レベルに到達すると、本線から前記第２の電力貯蓄手段への前記エネルギーの輸送は再び停止され、前記最大出力レベルは、構成要素の損傷を回避するように決定される。
【００２８】
前記電力コンバータ・コントローラの好ましい実施例において、前記コントローラは、ひとたび前記二次インダクタンスにより供給される電圧が所定の第２の最大値に到達するならば、前記第１の及び前記第２の電力貯蓄手段間の電力の如何なる輸送も停止し、ひとたび前記二次インダクタンスにより供給される前記電圧が所定の第４の最小値に降下するならば、前記第１の及び前記第２の電力貯蓄手段間の電力の輸送を再開する。
【００２９】
このような動作は、前記電圧が所望の範囲における前記二次インダクタンスにより供給される又は生成されるように保持し、更に、前記所望の範囲は、電力の輸送が停止される限度（extent）に影響を与え、前記電力の輸送は、可能性のある損失の量に関連する。
【００３０】
本発明の他の見地において、電力コンバータのコントローラに電力に供給する方法であって、本発明による電力コンバータ段に供給するステップと、前記電力コンバータのスタンバイ中、今度は、前記第１の電力貯蓄手段から前記第２の電力貯蓄手段まで及び前記第２の電力貯蓄手段から前記第１の電力貯蓄手段まで前記一次インダクタンスによって電力を輸送するステップとを有する方法が、提供される。
【００３１】
更に、本発明の更に他の見地において、電力コンバータを制御するためのソフトウェアであって、本発明によるソフトウェアが、本発明による電力コンバータ内の本発明によるコントローラ上で走らされた場合、前記第１の電力貯蓄手段から前記第２の電力貯蓄手段まで及び記第２の電力貯蓄手段から前記第１の電力貯蓄手段まで前記一次インダクタンスを介した電力の輸送を実行させるためのプログラムコード手段を有するソフトウェアが、提示される。
【００３２】
添付の特許請求の範囲における請求項１の電力コンバータ段、請求項６のコントローラ、請求項１３の前記電力コンバータ、請求項１４の電力コンバータのコントローラに電力に供給する方法、請求項１５のソフトウェアは、特に、添付の従属請求項に規定されるように、類似の及び／又は同一の好ましい実施例を有するものと理解されたい。
【００３３】
本発明の好ましい実施例は、前記従属請求項又は対応する独立請求項に関する上述の実施例の如何なる組み合わせでも良いと理解されたい。
【００３４】
本発明のこれら及び他の見地は、以下記載されている実施例を参照することによって明らかになり説明されるであろう。
【図面の簡単な説明】
【００３５】
【図１】本発明による電力コンバータの実施例を示している。
【図２】図１に示される前記電力コンバータのための電力コンバータ段の実施例の詳細を示している。
【図３】前記電力コンバータ段の動作を例示しているフローチャートを示している。
【図４】本発明の制御動作の一実施例によるシミュレーション波形を示している。
【図５】本発明の制御動作の一実施例によるシミュレーション波形を示している。
【発明を実施するための形態】
【００３６】
図１は、本発明による電力コンバータ１の実施例である。
【００３７】
電力コンバータ１は、本線入力（図示略）に及びフィルタリング・コンデンサ４（第１の電力貯蓄手段）に接続されているブリッジ整流器１０を含んでいる。フィルタリング・コンデンサ４は、電力コンバータ段２にも接続されており、電力コンバータ段２は一次巻線６（一次インダクタンス）を含んでいる。一次巻線６は、二次又は補助巻線７（二次インダクタンス）に誘導結合されており、二次又は補助巻線７は、電力コンバータ１のコントローラ３に電力を供給する。示されている実施例において、電力コンバータ段２は、電力コンバータ１の第１の段であり、従ってバス・コンデンサ５（第２の電力貯蓄手段）に接続されており、バス・コンデンサ５は、電力コンバータ１の第２の又は出力段１１に接続されている。前記出力段は、負荷（図示略）に電力を供給するために配されている。
【００３８】
上述の配置は、基本的には、本明細書の冒頭に述べられた組み込まれた補助供給を備える従来の電力コンバータの配置に対応している。
【００３９】
しかしながら、電力コンバータ段２及びコントローラ３の内部配置及び前記電力コンバータ１のスタンバイ中の動作が、従来の場合と異なる。
【００４０】
図２は、図１に示されている電力コンバータ１のための電力コンバータ段２の実施例の詳細を示している。
【００４１】
電力コンバータ段２は、前記第１の電力貯蓄手段として作用しているフィルタリング・コンデンサ４及び前記第２の電力貯蓄手段として作用しているバス・コンデンサ５に接続されている。電力コンバータ段２は、一次巻線６（補助巻線７と誘導結合されている）、第１のパワーＭＯＳＦＥＴ８（第１のスイッチ）及び第２のパワーＭＯＳＦＥＴ９（第２のスイッチ）を含んでいる。一次巻線６及び第２のスイッチ９は、フィルタリング・コンデンサ４及びバス・コンデンサ５（これらは両方とも接地に接続されている）への接続の間に一列に設けられ、第１のスイッチ８は、一次巻線６と第２のスイッチ9との間の点に接続されると共に、接地にも接続されている。この種の回路は、同期ブーストコンバータとして知られている。
【００４２】
本発明の代替的な実施例（図示略）は、並列に設けられたブーストコンバータ配置及びバックコンバータ配置を含み、前記第１の電力貯蓄手段は、前記ブーストコンバータのためのソース及び前記バックコンバータのための負荷として配される一方で、前記第２の電力貯蓄手段は、前記ブーストコンバータのための負荷及び前記バックコンバータのためのソースのために配される。前記ブーストコンバータ及び前記バックコンバータは、専用の要素によって設けられることもでき、前記ブーストコンバータ及び前記バックコンバータは、共通のインダクタンスを共有することも考えられる。
【００４３】
しかしながら、図２に示される実施例において、ブーストコンバータ又はバックコンバータのスイッチ及びダイオードは、スイッチ８及び９（パワーＭＯＳＦＥＴ）により提供され、この結果、前記回路は、（異なる方向のエネルギーの流れに対するものであっても）ブーストコンバータとして及びバックコンバータとしての両方として作用することができる。
【００４４】
動作の通常モード（組み込まれた補助供給を備える従来の電力コンバータの動作に対応する）において、電力コンバータ段２はブースト・モードで動作され、前記負荷（図示略、第２の段１１を介する）によって必要とされるエネルギーは、バス・コンデンサ５に供給される。同時に、補助巻線７を介して、エネルギーは、コントローラ３に供給される。
【００４５】
スタンバイ・モードにおいて、バス・コンデンサ５からのエネルギーは、コントローラ３に給電するために（即ち前記補助供給を生成するために）使用される。エネルギーは、バス・コンデンサ５からフィルタリング・コンデンサ４まで及びこの逆に輸送され、エネルギーが補助巻線７に供給されることを可能にする。
【００４６】
電力コンバータ段２の制御アルゴリズムは、以下のように記載される。
【００４７】
スタンバイ・バック・モードにおいて、電力コンバータ段２は、バックコンバータとして働き、バス・コンデンサ５からフィルタリング・コンデンサ４へエネルギーを輸送する。このモードの間、第２スイッチ９のみが動作される。フィルタリング・コンデンサ４の両端の電圧は、増大する。前記本線からの電力の取入れを防止するために、フィルタリング・コンデンサ４の両端のこの電圧の最小値は、フィルタリング・コンデンサ４を前記本線から分離するための幾つかの他の手段が使用されていない限り、（ブリッジ整流器１０を介して）整流された本線の電圧のピークより高くなければならない。スタンバイ中、電力コンバータ段２は、前記バス電圧（バス・コンデンサ５両端の電圧）とフィルタリング・コンデンサ４両端の電圧との間の差が所与の値（所定の第２の最小値）に到達するまで、バック・モードにおいて動作される。代替的には又は付加的には、バス・コンデンサ５両端の電圧に対する差に拘らず、ひとたび前記フィルタリング・コンデンサ両端の電圧が所与の値（所定の第１の最大値）に到達するならば、前記バック・モードの動作を、終了することができる。フィルタリング・コンデンサ４両端の電圧が、自身の最大値（即ちバス・コンデンサの電圧に対する差に基づいてか、又は絶対的にかの何れにおいても）に到達する場合、電力コンバータ段２は（スタンバイ）ブースト・モードで動作され、エネルギーは前記フィルタリング・コンデンサ４からバス・コンデンサ５まで輸送して戻される。このモードにおいて第１のスイッチのみが動作される。電力コンバータ段２は、フィルタキャパシタ両端の電圧が最小値（所定の第１の最小値）に到達するまで、ブースト・モードにおいて働く。この最小値は、エネルギーが前記本線から前記コンバータへ輸送されることが防止されなければならない場合、整流された前記本線の前記ピーク値よりもいくらか高くなければならない。
【００４８】
バス・コンデンサ５両端の電圧が低過ぎる場合（即ち所定の第３の最小の値に到達する）場合において、電力コンバータ段２は、ブースト・モード（スタンバイのままである前記第２の段１１を除いて、通常動作に対応する）において動作され、この結果、エネルギーは、前記本線からバス・コンデンサ５まで供給される。このモードは、前記バス電圧の値が自身の公称値に到達するまで、アクティブである。この後、前記電力コンバータ段は、バックブースト・モード（ただし、前記スタンバイはまだ適用可能である）において再び動作される。
【００４９】
上述された制御アルゴリズムに加えて、他の制御ループが提供される。このヒステリシス制御ループは、補助供給電圧の値をチェックする。所与の最大値（所定の第２の最大値）に到達する場合、前記電力コンバータ段２は停止され、即ちホールドモードに設定される。前記電圧値が自身の最小レベル（所定の第４の最小の値）にまで降下する場合、前記電力コンバータ段の動作は、自身が前記ホールドモードに入る前にあった状態まで回復される。
【００５０】
図３は、電力コンバータ段２の動作１００を示しているフローチャートを示している。
【００５１】
スタンバイ・モード（ステップ１０１）に入ると、当該動作は、スタンバイ・バック・モード１０２（上述を参照）へ進み、次いで、スタンバイ・ブースト・モード１０３（上述を参照）及び通常ブースト・モード１０４（上述を参照）が続く。
【００５２】
スタンバイ・バック・モード１０２において、前記電力コンバータ段は、前記第２の電力貯蓄手段から前記第１の電力貯蓄手段へ電力を輸送するバック・モードに入るように制御され（ステップ１０５）、これにより前記二次インダクタンスを介して前記コントローラに電力を供給する。前記第１の電力貯蓄手段両端の電圧は、所定の第１の最大値に対してチェックされ（ステップ１０６）、前記電圧が高過ぎる場合、当該動作はスタンバイ・ブースト・モード１０３へ進む。前記第１の電力貯蓄手段両端の電圧が高過ぎない場合、前記二次インダクタンスにより供給される電圧は、所定の第２の最大値に対してチェックされる（ステップ１０７）。前記電圧が高過ぎない場合、当該動作はチェック１０６に戻る。前記二次インダクタンスを供給される前記電圧が、前記所定の第２の最大値に到達する又は前記所定の第２の最大値を超える場合、前記前記第２の電力貯蓄手段から前記第１の電力貯蓄手段への電力の輸送は停止され（ステップ１０８）、この状態は、チェック（ステップ１０９）が、前記二次インダクタンスにより供給される電圧が低過ぎる（即ち所定の第４の最小値以下まで降下する）ことを決定するまで、保持される。このような場合、前記電力コンバータ段は、再び前記バック・モードに入るように制御される（ステップ１０５）。
【００５３】
スタンバイ・ブースト・モード１０３に入ると、前記電力コンバータ段は、前記第１の電力貯蓄手段から前記第２の電力貯蓄手段へ電力を輸送するブースト・モードにあるように制御され（ステップ１１０）、これにより電力を前記二次インダクタンスを介して前記コントローラに供給する。前記第１の電力貯蓄手段両端の電圧は、所定の第１の最小の値に対してチェックされ（ステップ１１１）、前記電圧が低過ぎる場合、当該動作は、通常のブースト・モード１０４へ進む。前記第１の電力貯蓄手段両端の電圧が低過ぎない場合、前記二次インダクタンスにより供給される電圧は前記所定の第２の最大値に対してチェックされる（ステップ１１２）。前記電圧が高すぎない場合、当該動作はチェック１１１に戻る。前記二次インダクタンスにより供給される電圧が前記所定の第２の最大値に到達する又は前記所定の第２の最大値を超える場合、前記前記第１の電力貯蓄手段から前記第２の電力貯蓄手段への電力の輸送は停止され（ステップ１１３）、この状態は、チェック（ステップ１１４）が前記二次インダクタンスにより供給される前記電圧が低過ぎる（即ち前記所定の第４の最小値以下に降下する）と決定するまで、保持される。このような場合、前記電力コンバータ段は再び前記ブースト・モードにあるように制御される（ステップ１１０）。
【００５４】
通常のブースト・モード１０４に入ると、前記第２の電力貯蓄手段両端の電圧は、所定の第３の最小値に対してチェックされる（ステップ１１５）。前記電圧が低過ぎる場合、当該動作はスタンバイ・バック・モード１０２へ進む。前記電圧が低過ぎる場合、前記電力コンバータ段は、通常のブースト・モード（通常の動作に対応する、即ちスタンバイではない）であるように制御され（ステップ１１６）、これは、前記第２の電力貯蓄手段両端の電圧が十分に高いとみなされるまで（ステップ１１７におけるチェック）維持される。
【００５５】
図３に示されている制御は、コントローラ３がフィルタリング・コンデンサ４（第１の電力貯蓄手段）及びバス・コンデンサ５（第２の電力貯蓄手段）両端の電圧が所望の範囲に留まるように注意することを提供すると共に、前記コントローラへの前記電力供給が所定の範囲に留まることを保証する。
【００５６】
図４及び図５は、本発明の制御動作の実施例によるシミュレーション波形を示している。
【００５７】
図４ａの上側の波形は、補助供給の電圧２００が２つの閾値間（この場合、基本的に４．２Ｖ及び４．８Ｖ）で変化することを示している。上側の閾値に到達する度に、前記電力コンバータ段は、ホールド状態（期間２０１、及び図３のステップ１０８又は１１３を参照）に至る。下側の閾値まで降下した場合、前記動作は回復される（図４ｂを参照）。
【００５８】
前記フィルタリング・コンデンサ両端の電圧Ｖｆｉｌｔｅｒが上側の閾値に到達した後（図４ｃを参照）、前記電力コンバータ段は前記スタンバイ・ブースト・モード（期間２０２を参照）に設定される。この電圧Ｖｆｉｌｔｅｒが下側の閾値に到達した後、前記電力コンバータ段はバックモード（期間２０３を参照）において動作される。前記エネルギーが前記コントローラの前記補助回路を提供するために使用されるので、前記バス電圧Ｖｂｕｓ（即ち前記バス・コンデンサ両端の電圧）の値は、時間とともに徐々に減少する。
【００５９】
図５は、図４のものと同じシミュレーションからの結果を、ただ、より長い期間にわたって示している。図５は、前記電力コンバータ段が、前記バス電圧が自身の下側の閾値（０ｍｓ−１２ｍｓ）に到達するまでスタンバイ・バック・ブースト・モード（期間２０４を参照）において動作されることを示している。この時点から、前記電力コンバータ段は、通常のブースト・モード（周期２０５を参照）において動作され、前記本線（１２ｍｓ−１６ｍｓ）から前記バス・コンデンサを充電する。この後、これは、バック・ブースト・モード（周期２０４を参照）に戻る。動作の如何なるモードにおいても、エネルギーは、前記補助供給へ輸送される。
【００６０】
本発明を利用することによって、電力コンバータ段（特に、入力電力段）は、前記電力コンバータに含まれるバス・コンデンサ両端の過電圧を生じることなく、スタンバイの間、作動されることができる。前記動作のモードの各々において、エネルギーは、補助巻線を介して前記制御回路へ輸送される。
【００６１】
前記電力コンバータ段は、スタンバイ中に動作されるが、損失は、特に電力コンバータ段のバースト動作のおかげで、非常に低いものであると予想されることができる。前記電力コンバータ段が、殆どの時間、前記ホールドモードにおいて動作するように、全体のシステムが容易に設計されることができる。
【００６２】
本発明の１つの実施化によれば、前記補助供給は、電力コンバータの前記段の１つに組み込まれ、従来の組み込まれた補助電力供給と比較して、技術的な変化は、バッファコンデンサ両端の過電圧の危険を冒すことなく、かつ、前記負荷（例えば、照明アプリケーションにおけるＬＥＤ）を活性化させることなく、前記組み込まれた補助供給が前記電力コンバータのスタンバイ動作の間も使用されることができることを可能にする前記電力コンバータの段が設けられることである。補助巻線は、コンバータの１つ以上の電力段の前記インダクタ内に組み込まれている。受動的な半導体の代わりに、前記対応する電力段は、能動的な半導体を有する。例えば、ブーストコンバータが考えられる（ＰＦＣ入力段として使用される）場合、２つの半導体スイッチ（例えば、ＭＯＳＦＥＴ）がスイッチ及びダイオードの代わりに使用され、結果として、いわゆる同期ブーストコンバータをもたらす。前記コンバータのコントローラは、電力が両方の方向に輸送されることができるように前記電力段を駆動することができる。ＰＦＣ段の実施例を考えると、前記コントローラは、ブースト及びバック・モードの両方において、前記ＰＦＣを動作させることができる。ブースト・モードで動作される場合、エネルギーは前記電力コンバータの前記第１の段と前記第２の段との間に設けられるバス・コンデンサへ輸送され、バック・モードにおいて動作される場合、エネルギーが（前記本線に接続されている）ブリッジ整流器と前記第１の段との間に設けられる前記フィルタリング・コンデンサに輸送される。前記補助供給が前記入力電力段に組み込まれているので、前記ダイオードブリッジと前記入力電力段（即ち前記フィルタリング・コンデンサ）との間に配される前記コンデンサ両端の電圧は、前記コンバータのスタンバイ中、電力が前記本線から配電されないことを保証するために、前記整流された本線の電圧のピークの値より高いように保持される。
【００６３】
添付の請求項において、「有する」なる語は他の要素又はステップを排除するものではなく、単数形は複数形を排除するものではない。
【００６４】
値が下限と上限と（これらを含む）の間にあるという指示も理解されるべきであり、前記値は、前記下限及び前記上限の前記値を含む所与の範囲内の如何なる値も有し得る。
【００６５】
単一のユニット又は装置は、添付の請求項において詳述される幾つかの項目の機能を達成することができる。特定の手段が、相互に異なる従属請求項において引用されているという単なる事実は、これらの手段の組み合わせが有利になるように使用されることができないと示すものではない。
【００６６】
検出、測定、切換及び制御の類の動作は、コンピュータプログラム（又はソフト）のプログラムコード手段として及び／又は専用ハードウェアとして実施化されることができる。
【００６７】
ソフト製品又はコンピュータプログラムは、他のハードウェアと一緒に又は他のハードウェアの一部として供給される、光記憶媒体又は固体媒体のような適切な媒体上に記憶される／（配布されることもできるが、例えば、インターネット又は他の有線若しくは無線通信システムを介して、他の形態において配布されることもできる。
【図１】
0006346190.tif 000002
【図２】
0006346190.tif 000003
【図３】
0006346190.tif 000004
【図４】
0006346190.tif 000005
【図５】
0006346190.tif 000006